(57)【要約】【課題】【解決手段】本発明は、光及び音を用いるアラームを使用することを通じてその医薬を投薬しなければならない時点をユーザに気付かせるシステムであって、医薬瓶１０のキャップ２を最初に開けたときに起動され、また、医薬瓶１０に配置された装置のため、キャップ２は正確な時点にて投薬したときにのみ有効である薬をユーザが投薬することを許容する、上記のシステムに関する。システムは、医薬瓶１０内の薬と関係した時間間隔、薬の型式及び薬の量に従って事前に設定することができる。システムは、光及び音の双方を利用する警報を使用することにより、視覚障害者又は聴覚障害者であることもある患者に対する警告を提供する。
2009538169.tif 000002
【特許請求の範囲】
【請求項１】
特定の間隔にて反復的に音及び光による警告を通じて気付かせる警報システムにおいて、
特に光を伝送し得るよう製造された半透明のプラスチック（１）と、
キャップ（２）と、
安全リング（３）と、
安全リングの下方部分に配置された電気銅スイッチ（４）と、
安全リングの回りに配置された円形のゴムストッパ（５）と、
タイマーを有する一体形の音及び光回路（６）と、
内側キャップ（７）と、
内側キャップに配置された電気銅スイッチ（８）と、
安全バンド（９）と、
医薬瓶とを備えることを特徴とする、警報システム。
【請求項２】
請求項１に記載の警報システムにおいて、
安全バンドを除去した後、キャップは時計回り方向に向けてねじ止めされ、
安全バンド（３）は内側キャップ（７）にねじ止めされ、
係止したときから、安全リング（３）の下方に配置された電気銅スイッチ（４）及び内側キャップ（７）における電気銅スイッチ（８）は接続されてシステムを起動させ、反復的な時点にて、予め設定された音及び光による警告を提供するようにしたことを特徴とする、警報システム。
【請求項３】
請求項１又は２に記載の警報システムにおいて、
タイマーを有する一体形の音及び光回路（６）は、該回路が使用される瓶内に保持された薬の型式及び量に従って音及び光による警告を提供し得るよう調節可能であり、
また、システムの機能を続行するのに必要な電力を提供することが更に可能である、警報システム。
【請求項４】
請求項１から３の何れかに記載の警報システムにおいて、
安全リングの回りに配置された円形のゴムストッパ（５）は、キャップがねじ解除されたとき拡張し、これにより、安全リングの下方に配置された電気銅スイッチ（４）と、内側キャップにおける電気銅スイッチ（８）との間の接触を確立し、これにより、システムが停止せずに機能することを許容することを特徴とする、警報システム。
【請求項５】
請求項１から３の何れかに記載の警報システムにおいて、
特別に製造された半透明のプラスチック（１）は、光により警告する間、光の発生量を増すことにより増大した光の投射を提供することを特徴とする、警報システム。
【発明の詳細な説明】
【技術分野】
【０００１】
本発明は、光及び音を用いるアラームを使用することを通じてユーザにその医薬を投薬しなければならない時点を気付かせるシステムであって、医薬瓶（１０）のキャップ（２）を最初に開けたときに起動され且つ、医薬瓶（１０）のキャップ（２）に配置された装置のため、ユーザが適正な時点に投薬したときのみ有効な薬剤を投薬することを許容する、上記のシステムに関する。
【発明の開示】
【発明が解決しようとする課題】
【０００２】
今日、行われている多くの研究は、病気の治療に使用される医薬は特定の時間間隔にて使用したときにのみ有効である傾向が大きいことを明らかにしている。しかし、医薬を正確な時点にて投薬するためには、非常な注意を必要とし、患者／ユーザは、極めて注意しているにも拘らず、その医薬を投薬することを忘れることが常であり、通常、薬の投薬を後の時点に引き延ばすことになる。このため、医薬は、もはや、本来の効果を発揮できず、患者は薬の利点の一部しか享受できない。このことは、治療期間を長引かせることになる。本発明によれば、光及び音を用いるアラームにより、ユーザに対して薬を投薬しなければならない時点に関して警告することができる。薬を適宜な時点にて投薬することは、警報の反復により更に可能とされる。本発明の主題であるシステムは、この問題点を完全に解消する。市場にてこれと比肩するものは存在しない。
【０００３】
システムは、光及び音の双方を用いる警報を使用することにより視覚障害者又は聴覚障害者であろう患者に警告することを目的とする。
【課題を解決するための手段】
【０００４】
本発明は、医薬瓶（１０）のキャップ（２）内のパッケージング内に配置された機構を通してユーザに対して薬の投薬時間を知らせる。
システムは、瓶（１０）内に保持された薬を投薬しなければなければならない特定の時間間隔に従って警報を発することができる、タイマーを有する一体形の光及び音回路（６）を備えており、医薬瓶（１０）は、瓶内の薬の型式及び薬の量に依存して更に目盛りを付けることができる。上記の光及び音による警報は、それ自体、ユーザが医薬瓶（１０）のキャップ（２）を開ける迄、反復する。
【０００５】
本発明は、特定の間隔にて投薬しなければならない薬のキャップ内に配置されて、光及び音を用いる警報によりユーザに気付かせるべく開発されたシステムに関する。
更に、その可調節型の警報システムにより、薬は、ボックス様の薬パッケージ体のような、瓶以外の薬パッケージ体にも適している。更に、開けた後、特定の時間範囲内にて消費しなければならない食品、又はその内部にシステムを配置することのできる同様の製品にも適したシステムであり、この場合、これらの製品には、予め設定した時点にて、特に、ユーザに対して差し迫った期限日を警報すべく、光及び音を用いたアラームが使用可能である。
【発明を実施するための最良の形態】
【０００６】
このシステムは、添付図面に示した本発明の主題を実現するよう具体化されている。
薬を保持する医薬瓶のキャップ（２）内にて見られるシステムは、薬を投薬すべき時点に関して音及び光を介してユーザに警告することを目的とするシステムである。
【０００７】
システムを構成する部品の内、特別に形成された半透明のプラスチック（１）は、キャップ（２）内に嵌まるよう等距離の４つのスロットを備えている。瓶を閉じたとき、キャップの頂部の中間部分にある部品は、見ることができる。この部品は、半透明材料にて出来ている。アラームが起動されたとき、これは、光の投射を増すことを許容し、これによりユーザがその光をより容易に見ることを可能にする。
【０００８】
システム内にて見られる一体形の音及び光回路（６）は、医薬瓶（１０）内の薬と関係した時間間隔、薬の型式及び薬の量に従って、事前に設定することができる。
システムを作動させるのに必要な電気は、タイマーを有する一体形の音及び光回路（６）によって提供される。システムがキャップ（２）がねじ止めされたときに起動された時点から医薬瓶（１０）内の薬の量及び型式に対して必要な音及び光によるアラームに要する電気エネルギは、タイマーを有する音及び光回路（６）により提供される。
【０００９】
システム内にて安全リングの回りに配置されたゴムストッパ（５）は、可撓性の材料にて出来ている。内側キャップ（７）が閉じられたとき、キャップは、圧縮されてより薄くなり、また、キャップを開けたとき、拡張する。このように、内側キャップは、キャップ（２）が開けられ且つ、医薬瓶（１０）から分離したときでさえシステムが機能することを可能にする。
【００１０】
本発明のシステムが機能する間、安全リング（３）は、垂直方向への動きによって内側キャップ（７）と接続される。内側キャップ内には、タイマーを有する一体形の音及び光回路（６）が配置されている。タイマーを有するこの一体形の音及び光回路（６）は、内側キャップ内にて見られる電気銅スイッチ（８）と接続されている。
【００１１】
システムを最初に使用する前、安全バンド（９）をキャップ（２）と接続する。安全バンド（９）を開けた後、キャップ（２）をその全ての保持した部品と共に、時計回り方向にて医薬瓶にねじ止めする。タイマーを有する一体形の音及び光回路（６）と共に、内側キャップ（７）及び内側キャップ（７）に配置された電気銅スイッチ（８）を、医薬瓶（１０）によって上方に押し、次に、この医薬瓶は、安全リング（３）と共に、キャップ（２）内に嵌まることができる。このように、安全リング（３）の下方に配置された電気銅スイッチ（４）及び内側蓋に配置された電気銅スイッチ（８）は、接触し且つシステムを機能させることができる。
システムの機能
本発明のシステムは、医薬瓶（１０）のキャップ（２）内に配置される。本発明のシステムを起動させるためには、医薬瓶（１０）とキャップ（２）との間の安全バンド（９）を最初に除去しなければならない。
【００１２】
安全バンド（９）が除去された後、キャップ（２）は、時計回り方向に完全にねじ止めする。
ねじ止め動作によって、安全リング（３）は、内側キャップ（７）に係止される。係止した後、安全リング（３）の下方に配置された電気銅スイッチ（４）及び内側キャップ（７）の電気銅スイッチ（８）は接続される。
【００１３】
これで機能可能となったシステムは、予め設定した各間隔の終了時、すなわち、薬を投薬しなければならない時点をユーザに光及び音にて警報を与える。
作動中の音及び光による警告を停止させるためには、電気の流れを一時的に停止させなければならない。このことは、キャップ（２）を開けることにより行われる。この時点にて、安全リング（３）の下方に配置された電気銅スイッチ（４）及び内側キャップ（７）の電気銅スイッチ（８）は、一時的に分離され、音及び光は消える。
【００１４】
しかし、安全リング（３）の下方に配置された電気銅スイッチ（４）と内側キャップ（７）の電気銅スイッチ（８）との間の接触は、一時的にのみ遮断される。キャップを開けると、円形のゴムストッパ（５）は拡張するから、該ゴムストッパは、内側キャップ（７）によって圧縮される。このように、再度、安全リング（３）の下方に配置された電気銅スイッチ（４）と内側キャップ（７）の電気銅スイッチ（８）との間の接触が再度、確立される。このようにして、電気の流れが再起動される。円形のゴムストッパ（５）のため、システムは、キャップ（２）が医薬瓶（１０）にねじ止めされないときでさえ、その機能を続けることができる。このため、次の薬を投薬する前の時間間隔は中断されることはなく、タイマーを有する一体形の音及び光回路（６）は、正確な時間にて必要な警告を発することが許容される。
【００１５】
キャップ（２）が医薬瓶（１０）に再度ねじ止めされたとき、円形のゴムストッパ（５）は再度、圧縮され、安全リング（３）の下方に配置された電気銅スイッチ（４）及び内側キャップ（７）の電気銅スイッチ（８）が再度、接続されるため、システムは、次の警告を発する迄、時間のカウントを続ける。
【図面の簡単な説明】
【００１６】
【図１】本発明のシステムが配置される医薬瓶（１０）の斜視図である。
【図２】本発明のシステムを構成する部品（１、２、３、４、５、６、７、８、９、１０）の詳細な斜視図である。
【図３】本発明のシステムが配置される医薬瓶（１０）とキャップ（２）との間から除去されたときの安全バンド（９）の図である。
【図４】本発明のシステムが配置されるキャップ（２）及び医薬瓶（１０）の分離したときの図である。
【図５】内側キャップ（７）の電気銅スイッチ（８）と安全リング（３）の下方部分に配置された電気銅スイッチ（４）とが接触する間、キャップが時計回り方向に向けてねじ止めされたとき、警報が起動される際の部品の等角断面図である。
【図６】キャップにより予め加圧され、キャップを開けたときに拡張するゴムストッパ（５）により、内側キャップ（７）内に配置された電気銅スイッチ（８）と安全リング（３）の下方部分に配置された電気銅スイッチ（４）との間の接触を通じてキャップ（２）内のシステムが瓶（１０）無しにて機能を続けるときの部品の等角断面図である。
【部品の番号】
【００１７】
部品には、番号が付されており、これらの参照番号は下記に示した通りである。
１    特に光を伝送し得るよう製造された半透明のプラスチック（１）
２    キャップ（２）
３    安全リング（３）
４    安全リングの下方部分に配置された電気銅スイッチ（４）
５    安全リングの回りに配置された円形のゴムストッパ（５）
６    タイマーを有する一体形の音及び光回路（６）
７    内側キャップ（７）
８    内側キャップに配置された電気銅スイッチ（８）
９    安全バンド（９）
１０    医薬瓶（１０）
【図１】
2009538169.tif 000003
【図２】
2009538169.tif 000004
【図３】
2009538169.tif 000005
【図４】
2009538169.tif 000006
【図５】
2009538169.tif 000007
【図６】
2009538169.tif 000008
【国際調査報告】
2009538169.tif 000009
2009538169.tif 000010